(57)【要約】【課題】圧着された管状フェルールを含む導体組立体、ならびにそれを製造するための方法およびツールを提供する。【解決手段】ケーブル組立体（５００）は、外側絶縁体（１１０）によって取り囲まれた細長い導体（１００）と、導体（１００）の一部分を取り囲んでいる外側フェルール（５１６）とを含んでいる。外側フェルール（５１６）の外面は、外面に対して角度の付いた圧痕面を有する圧痕（５３２）を作り出すように変形されている。圧痕（５３２）は、外側絶縁体（１１０）を少なくとも部分的に貫くかかりを形成している。ケーブル組立体（５００）を製造する方法（７００）、および外側フェルール（５１６）を形成するためのツール（６００）もまた提示され記載されている。【選択図】図１
2020043055.tif 000002
【特許請求の範囲】
【請求項１】
外側絶縁体によって取り囲まれた細長い導体と、
前記導体の一部分を取り囲んでいる外側フェルールと、を備えており、
前記外側フェルールの外面が、前記外面に対して角度の付いた圧痕面を有する圧痕を作り出すように変形されており、前記圧痕が、前記外側絶縁体を少なくとも部分的に貫くかかりを形成している、ケーブル組立体。
【請求項２】
前記圧痕が、前記外側フェルールの遠位縁に隣り合って配置されている、請求項１に記載のケーブル組立体。
【請求項３】
前記細長い導体が、概ね円形の断面を有しており、前記外側フェルールが、継目がなく、フェルール半径を有している概ね円筒形を有しており、前記外側フェルールが、それぞれ凸状の底面を有する４つの窪みと、前記外側フェルールの周囲に均等に離間された４つの突出部とを画定するように変形されており、前記凸状の底面が、前記フェルール半径未満の凸形状の半径を有しており、前記凸状の底面が、前記外面であり、４つの圧痕を作り出すように変形されている、請求項１に記載のケーブル組立体。
【請求項４】
前記４つの窪みのうちの隣り合った窪みが、前記外側フェルールの長手軸線のまわりでおおよそ９０度離間されており、前記４つの突出部のうちの１つが、前記隣り合った窪みの中間に配置されており、前記４つの突出部のうちの隣り合った突出部が、前記外側フェルールの前記長手軸線のまわりでおおよそ９０度離間されており、前記４つの圧痕のうちの隣り合った圧痕が、前記外側フェルールの前記長手軸線のまわりでおおよそ９０度離間されている、請求項３に記載のケーブル組立体。
【請求項５】
前記４つの圧痕が前記凸形状の半径を有している、請求項３に記載のケーブル組立体。
【請求項６】
同軸ケーブル組立体を製造する方法であって、
中心の内側導体、前記内側導体を取り囲んでいる内側絶縁体、前記内側絶縁体を取り囲んでいる外側導体、および、前記外側導体を取り囲んでいる外側絶縁体を備えている同軸電気ケーブルを用意するステップと、
フェルール半径を有している概ね円筒形の継目なし外側フェルールを用意するステップと、
前記フェルール半径未満の一貫した窪み半径を画定する第１のダイ面、および前記第１のダイ面に対して角度の付いた第２のダイ面をそれぞれが有する４つの圧着ダイを含んでいる圧着ツールを用意するステップと、
前記外側絶縁体の一部分に前記外側フェルールを被せるステップと、
前記外側フェルールの周囲に均等に離間された４つの窪みと４つの突出部とを前記外側フェルールに形成するように、前記圧着ツールを使用して前記外側フェルールを変形させるステップであり、前記４つの窪みが、それぞれ、前記窪み半径を有していると特徴付けられている、ステップと、
４つの圧痕を形成するように前記４つの窪みを変形させるステップであり、各圧痕が、前記４つの窪みのそれぞれの外面に対して角度の付いた圧痕面を有しており、各圧痕が、前記外側絶縁体を少なくとも部分的に貫くかかりを形成している、ステップと
を含む、方法。
【請求項７】
前記４つの圧痕が、前記外側フェルールの遠位縁に隣り合って配置されている、請求項６に記載の方法。
【請求項８】
前記４つの窪みのうちの隣り合った窪みが、前記外側フェルールの長手軸線のまわりでおおよそ９０度離間されており、前記４つの突出部のうちの１つが、前記隣り合った窪みの中間に配置されており、前記４つの突出部のうちの隣り合った突出部が、前記外側フェルールの前記長手軸線のまわりでおおよそ９０度離間されており、前記４つの圧痕のうちの隣り合った圧痕が、前記外側フェルールの前記長手軸線のまわりでおおよそ９０度離間されている、請求項６に記載の方法。
【請求項９】
前記外側フェルールの一部分が、変形後に前記フェルール半径を維持し、前記４つの突出部のそれぞれが、高さ閾値未満の高さを有している、請求項６に記載の方法。
【請求項１０】
フェルール半径を有する概ね円筒形の継目なしフェルールの周囲に、窪み半径を有する、均等に離間された４つの窪みと、均等に離間された４つの突出部とを形成するように構成されているツールであって、前記４つの突出部の各突出部が、高さ閾値以下の突出部高さを有し、前記ツールが、４つの圧痕を形成するようにさらに構成され、各圧痕が、前記４つの窪みのそれぞれの外面に対して角度の付いた圧痕面を有しており、前記ツールが、
４つの圧着ダイであり、前記４つの圧着ダイの各圧着ダイが、前記窪み半径を有する凹状圧着面、および前記圧着面に対して角度の付いた凹状圧痕面を画定しており、前記圧痕面もまた前記窪み半径を有している、４つの圧着ダイと、
４つの制限ダイであって、各制限ダイが、前記４つの圧着ダイのうちの隣り合った２つの圧着ダイの中間に配置され、各突出部の高さを、前記高さ閾値に制限するように構成された制限面を画定している、４つの制限ダイと
を備えている、ツール。
【請求項１１】
隣り合った圧着ダイが、長手軸線のまわりでおおよそ９０度離間されており、前記４つの制限ダイのうちの隣り合った制限ダイが、前記長手軸線のまわりでおおよそ９０度離間されている、請求項１０に記載のツール。
【請求項１２】
各制限面が、前記外側フェルールの前記長手軸線から、制限距離だけ離間されており、前記制限距離が、前記フェルール半径に前記高さ閾値を足したものに等しい、請求項１０に記載のツール。
【請求項１３】
前記４つの制限ダイが、前記４つの圧着ダイが前記外側フェルールの前記長手軸線に対して移動するときに各制限面が前記制限距離に留まるように、固定されている、請求項１０に記載のツール。
【請求項１４】
前記ツールが、各圧着ダイと、隣り合った制限ダイとの間に、４つのリンケージをさらに備えており、前記４つのリンケージが、前記４つの圧着ダイが前記外側フェルールの前記長手軸線に対して移動するときに各制限ダイの各制限面を前記制限距離まで移動させるように構成されている、請求項１０に記載のツール。
【発明の詳細な説明】
【技術分野】
【０００１】
関連出願の相互参照
[0001]本出願は、２０１８年６月２７日に出願した米国特許出願第１６／０１９，６６６号の優先権を主張し、その開示全体が参照によって本書に援用される。
【０００２】
[0002]本発明は一般に、導体組立体に関し、詳細には、管状フェルールを含む導体組立体に関する。
【発明の概要】
【課題を解決するための手段】
【０００３】
[0003]本発明の１つの実施形態によれば、ケーブル組立体が提供される。ケーブル組立体は、外側絶縁体によって取り囲まれた細長い導体と、導体の一部分を取り囲んでいる外側フェルールとを含んでいる。外側フェルールの外面は、外面に対して角度の付いた圧痕面を有する圧痕を作り出すように変形されている。圧痕は、外側絶縁体を少なくとも部分的に貫くかかりを形成している。
【０００４】
[0004]前述のパラグラフのケーブル組立体の１つまたは複数の特徴を有する例示的な実施形態では、圧痕は、外側フェルールの遠位縁に隣り合って配置されている。
[0005]前述のパラグラフのケーブル組立体の１つまたは複数の特徴を有する例示的な実施形態では、外面に対する圧痕面の角度は、１０度から２０度の範囲である。
【０００５】
[0006]前述のパラグラフのケーブル組立体の１つまたは複数の特徴を有する例示的な実施形態では、細長い導体は、概ね円形の断面を有している。外側フェルールは、継目がなく、フェルール半径を有している概ね円筒形を有している。外側フェルールは、それぞれ凸状の底面を有する４つの窪みと、外側フェルールの周囲に均等に離間された４つの突出部とを画定するように変形されている。凸状の底面は、フェルール半径未満の凸形状の半径を有している。凸状の底面は、外面によって形成されており、４つの圧痕を作り出すように変形されている。
【０００６】
[0007]前述のパラグラフのケーブル組立体の１つまたは複数の特徴を有する例示的な実施形態では、４つの窪みのうちの隣り合った窪みは、外側フェルールの長手軸線のまわりでおおよそ９０度離間されている。４つの突出部のうちの１つは、隣り合った窪みの中間に配置されている。４つの突出部のうちの隣り合った突出部は、外側フェルールの長手軸線のまわりでおおよそ９０度離間されている。４つの圧痕のうちの隣り合った圧痕は、外側フェルールの長手軸線のまわりでおおよそ９０度離間されている。
【０００７】
[0008]前述のパラグラフのケーブル組立体の１つまたは複数の特徴を有する例示的な実施形態では、細長い導体は、中心の内側導体、内側導体を取り囲んでいる内側絶縁体、内側絶縁体を取り囲んでいる外側導体、および、外側導体を取り囲んでいる外側絶縁体を備えている同軸電気ケーブルである。
【０００８】
[0009]前述のパラグラフのケーブル組立体の１つまたは複数の特徴を有する例示的な実施形態では、ケーブル組立体は、外側導体と内側絶縁体の中間に配置された内側フェルールをさらに含んでいる。
【０００９】
[0010]前述のパラグラフのケーブル組立体の１つまたは複数の特徴を有する例示的な実施形態では、外側フェルールの一部分は、変形後にフェルール半径を維持する。
[0011]前述のパラグラフのケーブル組立体の１つまたは複数の特徴を有する例示的な実施形態では、４つの突出部のそれぞれは、高さ閾値未満の高さを有している。
【００１０】
[0012]前述のパラグラフのケーブル組立体の１つまたは複数の特徴を有する例示的な実施形態では、４つの圧痕は凸形状の半径を有している。
[0013]本発明の別の実施形態では、同軸ケーブル組立体を製造する方法が提示される。本方法は、
ａ）中心の内側導体、内側導体を取り囲んでいる内側絶縁体、内側絶縁体を取り囲んでいる外側導体、および、外側導体を取り囲んでいる外側絶縁体を備えている同軸電気ケーブルを用意するステップ
ｂ）フェルール半径を有している概ね円筒形の継目なし外側フェルールを用意するステップ
ｃ）フェルール半径未満の一貫した窪み半径を画定する第１のダイ面、および第１のダイ面に対して角度の付いた第２のダイ面をそれぞれが有する４つの圧着ダイを含んでいる圧着ツールを用意するステップ
ｄ）外側絶縁体の一部分に外側フェルールを被せるステップ
ｅ）外側フェルールの周囲に均等に離間された４つの窪みと４つの突出部とを外側フェルールに形成するように、圧着ツールを使用して外側フェルールを変形させるステップであり、４つの窪みが、それぞれ、窪み半径を有していると特徴付けられている、ステップ
ｆ）４つの圧痕を形成するように４つの窪みを変形させるステップであり、各圧痕が、４つの窪みのそれぞれの外面に対して角度の付いた圧痕面を有しており、各圧痕が、外側絶縁体を少なくとも部分的に貫くかかりを形成している、ステップ
を含む。
【００１１】
[0014]前述のパラグラフの方法の１つまたは複数の特徴を有する例示的な実施形態では、４つの圧痕は、外側フェルールの遠位縁に隣り合って配置されている。
[0015]前述のパラグラフの方法の１つまたは複数の特徴を有する例示的な実施形態では、外面に対する圧痕面の角度は、１０度から２０度の範囲である。
【００１２】
[0016]前述のパラグラフの方法の１つまたは複数の特徴を有する例示的な実施形態では、４つの窪みのうちの隣り合った窪みは、外側フェルールの長手軸線のまわりでおおよそ９０度離間されており、４つの突出部のうちの１つは、隣り合った窪みの中間に配置されている。４つの突出部のうちの隣り合った突出部は、外側フェルールの長手軸線のまわりでおおよそ９０度離間されている。４つの圧痕のうちの隣り合った圧痕は、外側フェルールの長手軸線のまわりでおおよそ９０度離間されている。
【００１３】
[0017]前述のパラグラフの方法の１つまたは複数の特徴を有する例示的な実施形態では、外側フェルールの一部分は、変形後にフェルール半径を維持する。４つの突出部のそれぞれは、高さ閾値未満の高さを有している。
【００１４】
[0018]本発明のさらに別の実施形態では、フェルール半径を有する概ね円筒形の継目なしフェルールの周囲に、窪み半径を有する、均等に離間された４つの窪みと、均等に離間された４つの突出部とを形成するように構成されているツールであって、４つの突出部の各突出部が、高さ閾値以下の突出部高さを有し、上記ツールが、４つの圧痕を形成するようにさらに構成され、各圧痕が、４つの窪みのそれぞれの外面に対して角度の付いた圧痕面を有する、ツールが提供される。ツールは、４つの圧着ダイを含んでいる。４つの圧着ダイの各圧着ダイは、窪み半径を有する凹状圧着面、および圧着面に対して角度の付いた凹状圧痕面を画定している。圧痕面もまた窪み半径を有している。ツールは、４つの制限ダイをさらに含んでいる。各制限ダイは、４つの圧着ダイのうちの隣り合った２つの圧着ダイの中間に配置され、各突出部の高さを、高さ閾値に制限するように構成された制限面を画定している。
【００１５】
[0019]前述のパラグラフのツールの１つまたは複数の特徴を有する例示的な実施形態では、隣り合った圧着ダイは、長手軸線のまわりでおおよそ９０度離間されており、４つの制限ダイのうちの隣り合った制限ダイは、長手軸線のまわりでおおよそ９０度離間されている。
【００１６】
[0020]前述のパラグラフのツールの１つまたは複数の特徴を有する例示的な実施形態では、各制限面は、外側フェルールの長手軸線から、制限距離だけ離間されている。制限距離は、フェルール半径に高さ閾値を足したものに等しい。
【００１７】
[0021]前述のパラグラフのツールの１つまたは複数の特徴を有する例示的な実施形態では、４つの制限ダイは、４つの圧着ダイが外側フェルールの長手軸線に対して移動するときに各制限面が制限距離に留まるように、固定されている。
【００１８】
[0022]前述のパラグラフのツールの１つまたは複数の特徴を有する例示的な実施形態では、ツールは、各圧着ダイと、隣り合った制限ダイとの間に、４つのリンケージをさらに含んでいる。４つのリンケージは、４つの圧着ダイが外側フェルールの長手軸線に対して移動するときに各制限ダイの各制限面を制限距離まで移動させるように構成されている。
【００１９】
[0023]次に、例として添付の図面を参照しながら、本発明を説明する。
【図面の簡単な説明】
【００２０】
【図１】[0024]１つの実施形態による、圧着された管状フェルールを含んでいる導体組立体の斜視図である。
【図２】[0025]１つの実施形態による、図１の導体組立体の断面図である。
【図３】[0026]１つの実施形態による、圧着された管状フェルールを含んでいる導体組立体の斜視図である。
【図４】[0027]１つの実施形態による、図１または３の導体組立体の管状フェルールを形成するために使用される固定式の制限ダイを有している圧着ツールの前端面図（ｆｒｏｎｔ  ｅｎｄ  ｖｉｅｗ）である。
【図５】[0028]１つの実施形態による、図４の圧着ツールの圧着ダイおよび制限ダイの近接前端面図（ｃｌｏｓｅ  ｕｐ  ｆｒｏｎｔ  ｅｎｄ  ｖｉｅｗ）である。
【図６】[0029]１つの実施形態による、制限ダイをより良く示すために圧着ダイのうちの１つが取り除かれた、図４の圧着ツールの側面斜視図である。
【図７】[0030]１つの実施形態による、図１または３の導体組立体の管状フェルールを形成するために使用される移動可能な制限ダイを有している圧着ツールの前端図である。
【図８】[0031]図８ａは、１つの実施形態による、図４または７の圧着ツールを用いて形成する前の、図１および３の導体組立体の管状フェルールの斜視図および端面図である。[0032]図８ｂは、１つの実施形態による、図４または７の圧着ツールを用いて形成した後の、図８ａの導体組立体の管状フェルールの斜視図および端面図である。
【図９】[0033]１つの実施形態による、外側絶縁体を貫くかかりを形成する圧痕を含んでいる導体組立体の側面図である。
【図１０】[0034]図１０ａは、１つの実施形態による、図９の圧痕を形成するように構成された圧着ツールの斜視図である。[0035]図１０ｂは、１つの実施形態による、図１１の圧着ツールの側面図である。
【図１１】[0036]１つの実施形態による、圧痕を形成した後の図９の導体組立体に対する図１０ａのツールの側面図である。
【図１２】[0037]１つの実施形態による、図４、７、または１０ａ〜ｂの圧着ツールを使用して図１、３、または９の導体組立体を製造する方法の流れ図である。
【発明を実施するための形態】
【００２１】
[0038]次に、実施形態について詳細に言及するが、それらの例は、添付の図面に示されている。以下の詳細な説明では、説明される種々の実施形態の十分な理解を提供するために、多数の具体的詳細が記述される。しかし、説明される種々の実施形態はそれらの具体的詳細を伴わずに実施され得ることが、当業者には明らかであろう。他の例では、周知の方法、手順、構成要素、回路、およびネットワークは、実施形態の態様を不必要に不明瞭にしないために、詳細には説明されていない。
【００２２】
[0039]本明細書では、細長い導体に圧着された継目なし管状フェルールを含んでいる導体組立体が提示される。管状フェルールは、フェルールを導体に取り付けるための圧着プロセスにおいて変形される。圧着の後、フェルールは、フェルールの周囲に均等に離間された一貫した半径を有する４つの窪みと４つの突出部とを画定する。４つの突出部の高さを制限する、フェルールを変形させるために使用されるツールもまた、本明細書において提示される。
【００２３】
[0040]図１〜３は、以下組立体１００と呼ばれる導体組立体１００の非限定的な例を示す。図１に示されているように、組立体１００は、この具体的な例では同軸電気ケーブル１０２である、細長い導体を含んでいる。同軸ケーブル１０２は、中心の内側導体１０４、内側導体１０４を取り囲んでいる内側絶縁体１０６、内側絶縁体１０６を取り囲んでいる外側導体１０８、および、内側絶縁体１０６を取り囲んでいる外側絶縁体１１０を有している。図２に示されるように、同軸ケーブル１０２は、概ね円形の断面を有している。
【００２４】
[0041]組立体１００はまた、内側導体１０４に接続された導電性の内側端子（図示せず）と、内側端子を取り囲んでおりかつ外側導体１０８に接続された導電性の外側端子１１２とを含んでいる。外側端子１１２は、内側絶縁体１０６と外側絶縁体１１０の中間に配置された管状内側フェルール１１４を画定する。図２に示された具体的な例によれば、内側フェルール１１４は、外側絶縁体１１０と外側導体１０８の中間に配置されている。内側端子と外側端子１１２との間に、端子絶縁体が配置されている。
【００２５】
[0042]組立体１００は、内側フェルール１１４を覆う外側絶縁体１１０の一部分を取り囲んでいる、概ね円筒形の継目なし外側フェルール１１６をさらに含んでいる。外側フェルール１１６は、圧着ツール３００によって変形されて、外側フェルール１１６に沿って外側フェルール１１６の長手軸線Ｘに概ね平行な方向に延在する４つの窪み１１８を画定している。４つの窪み１１８のそれぞれは、同一の一貫した窪み半径（ｉｎｄｅｎｔａｔｉｏｎ  ｒａｄｉｕｓ）１２２を有している。変形は、外側フェルール１１６に沿って外側フェルール１１６の長手軸線に概ね平行な方向に延在する４つの突出部１２０を作り出す。４つの窪み１１８および４つの突出部１２０は、外側フェルール１１６の周囲に均等に離間されている。４つの窪み１１８のうちの隣り合った窪み１１８は、外側フェルール１１６の長手軸線のまわりでおおよそ９０度離間されている。本明細書において、おおよそ９０度の離間とは、８０度から１００度の範囲内の離間である。図２に最も良く示されているように、４つの突出部１２０のうちの１つは、隣り合った窪み１１８の中間に配置されている。４つの突出部１２０のうちの隣り合った突出部１２０もまた、外側フェルール１１６の長手軸線のまわりでおおよそ９０度離間されている。図９ａおよび９ｂに示されているように、４つの窪み１１８の窪み半径１２２は、圧着ツール３００による変形の前の外側フェルール１１６の本来のフェルール半径１２４未満である。
【００２６】
[0043]４つの突出部１２０のそれぞれの高さ１２８は、４つの突出部１２０のそれぞれが高さ閾値１３０以下になるように、圧着プロセス７００中に制御される。突出部高さ１２８の制御については、以下の圧着ツール３００の説明においてより詳細に論じられる。
【００２７】
[0044]図１に示されているように、４つの窪み１１８および４つの突出部１２０は、外側フェルール１１６の全長に沿って延在している。図３に示された組立体２００の代替実施形態によれば、外側フェルール２１６の中央部分２２６だけが変形されて、４つの窪み２１８および４つの突出部２２０を形成する。外側フェルール２１６の端部は、本来のフェルール半径２２４を維持している。
【００２８】
[0045]図４〜６は、図１および３に示された同軸ケーブル組立体１００、２００の外側フェルール１１６、２１６を圧着するために使用された圧着ツール３００の非限定的な例を示している。圧着ツール３００は、均等に離間された４つの窪み１１８、２１８と均等に離間された４つの突出部１２０、２２０とを外側フェルール１１６の周囲に形成するように構成されている。図４に示されているように、圧着ツール３００は、４つの圧着ダイ３０２を含んでいる。４つの圧着ダイ３０２の各圧着ダイ３０２は、形成される外側フェルール１１６の窪み半径１２２に実質的に等しい窪み半径３１２を有する凹状圧着面３０４を画定している。圧着ツール３００はまた、４つの制限ダイ３０６を含んでいる。図５に最も良く示されているように、各制限ダイ３０６は、圧着ダイ３０２の窪み半径３１２よりも大きい制限半径３１０を有する凹状の制限面３０８を画定している。制限ダイ３０６は、各突出部の高さ１２８を高さ閾値１３０に制限するように構成されており、また、４つの圧着ダイ３０２のうちの隣り合った２つの圧着ダイ３０２の中間に配置されている。隣り合った圧着ダイ３０２は、圧着ツール３００の長手軸線のまわりでおおよそ９０度離間されている。４つの制限ダイ３０６のうちの隣り合った制限ダイ３０６もまた、圧着ツール３００の長手軸線のまわりでおおよそ９０度離間されている。
【００２９】
[0046]各制限面３０８は、フェルールの長手軸線から、制限半径３１０の距離だけ離間されている。この制限半径３１０は、本来のフェルール半径１２４に外側フェルール１１６の４つの突出部１２０の高さ閾値１３０を足したものに等しい。
【００３０】
[0047]図６に示されている圧着ツール３００の実施形態によれば、４つの制限ダイ３０６は、単一のダイ組立体３１４に一体に形成されており、かつ、４つの圧着ダイ３０２が圧着ツール３００の長手軸線に対して移動するときに各制限面３０８が制限半径３１０の距離に留まるように、固定されている。
【００３１】
[0048]図７に示されている圧着ツール４００の代替実施形態によれば、圧着ツール４００は、各圧着ダイ４０２と、隣り合った制限ダイ４０６との間に、４つのリンケージ４１０をさらに含んでいる。４つのリンケージ４１０は、圧着ツール４００が同軸ケーブル組立体１００の外側フェルール１１６を変形させるにつれて４つの圧着ダイ４０２が圧着ツール４００の長手軸線に向かって移動するときに、各制限ダイ４０６を、したがって各制限面４０８を、制限半径３１０の距離まで移動させるように構成されている。
【００３２】
[0049]図８ａは、形成する前の外側フェルール１１６の形状を示している。図８ｂは、圧着ツール３００、４００を用いて形成した後の外側フェルール１１６の形状を示している。
【００３３】
[0050]図９は、４つの窪み５１８の凸状の底面５３４を変形することによって作り出された４つの圧痕５３２を含んでいる組立体５００の代替実施形態を示している。圧痕５３２は、外側フェルール５１６の遠位縁５３６に隣り合って配置されている。凸状の底面５３４に対する圧痕５３２の表面の角度は、１０度から２０度の範囲であり、１５度が好ましい。４つの圧痕５３２のうちの隣り合った圧痕５３２は、外側フェルール５１６の長手軸線Ｘのまわりでおおよそ９０度離間される。本発明者は、圧痕５３２の追加が、外側フェルール５１６を組立体５００から分離するために必要な力を増大させることによって組立体５００の一体性を改善することを、試験することによって確認した。表１および２は、米国自動車研究評議会（ＵＳＣＡＲ：Ｕｎｉｔｅｄ  Ｓｔａｔｅｓ  Ｃｏｕｎｃｉｌ  ｆｏｒ  Ａｕｔｏｍｏｔｉｖｅ  Ｒｅｓｅａｒｃｈ）によって発行された、ＵＳＣＡＲ  ３７  シールド保持試験、およびＵＳＣＡＲ  １７  シーケンスＮ−機械的引張試験において、組立体１００と組立体５００の性能に関する試験結果の比較を示している。
【００３４】
【表１】
2020043055.tif 000003
【００３５】
【表２】
2020043055.tif 000004
【００３６】
[0051]図１０ａおよび１０ｂは、圧着ツール６００の別の代替実施形態を示している。４つの圧着ダイ６０２のそれぞれは、凹状圧着面６１６、および圧着面６１６に対して角度の付いた凹状圧痕面６１８を含んでいる。凹状圧着面６１６と凹状圧痕面６１８は同じ半径を有している。圧着面６１６に対する圧痕面６１８の角度は、１０度から２０度の範囲であり、１５度が好ましい。
【００３７】
[0052]図１１に示されているように、圧痕面６１８は、圧着ダイ６０２を外側フェルール５１６に当てたとき、外側フェルール５１６の遠位縁５３６の近くに配置される。
[0053]図１２は、上記の同軸ケーブル組立体１００、５００を製造する方法７００について説明している。方法７００は、以下のステップを含む。
【００３８】
[0054]同軸電気ケーブルを用意するステップ７１０は、中心の内側導体１０４、内側導体１０４を取り囲んでいる内側絶縁体１０６、内側絶縁体１０６を取り囲んでいる外側導体１０８、および、外側導体１０８を取り囲んでいる外側絶縁体１１０を備えている同軸電気ケーブル１０２を用意することを含む。
【００３９】
[0055]外側フェルールを用意するステップ７１２は、フェルール半径１２４を有している概ね円筒形の継目なし外側フェルール１１６を用意することを含む。
[0056]内側フェルールを有している端子を用意するステップ７１４は、内側フェルール１１４を有している端子を用意することを含む任意選択のステップである。
【００４０】
[0057]圧着ツールを用意するステップ７１６は、フェルール半径１２４未満の一貫した窪み半径３１２を画定するダイ面３０４をそれぞれが有する４つの圧着ダイ３０２を含んでいる圧着ツール３００を用意することを含む。
【００４１】
[0058]同軸ケーブルの外側絶縁体と外側導体の中間に内側フェルールを配置するステップ７１８は、圧着ツールを使用して外側フェルールを変形させるステップ７２２の前に、外側絶縁体１１０と外側導体１０８の中間に内側フェルール１１４を配置することを含む、任意選択のステップである。
【００４２】
[0059]外側絶縁体の一部分に外側フェルールを被せるステップ７２０は、外側絶縁体１１０の一部分に外側フェルール１１６を被せることを含む。
[0060]圧着ツールを使用して外側フェルールを変形させるステップ７２２は、圧着ツール３００、４００、６００を使用して外側フェルール１１６を変形させて、外側フェルール１１６の周囲に均等に離間された４つの窪み１１８と４つの突出部１２０とを外側フェルール１１６に形成することを含む。外側フェルール１１６は、外側フェルール１６６の長手軸線が圧着ツール３００の長手軸線と実質的に一致するように、４つの圧着ダイ３０２の間に保持される。４つの圧着ダイ３０２は、４つの窪み１１８および４つの突出部１２０を形成しているときに実質的に一貫した圧力および変形速度を提供するために、長手軸線に向かって同時に移動される。４つの窪み１１８は、それぞれ、窪み半径１２２を有していると特徴付けられる。ステップ７２２は、４つの窪み５１８を変形させて４つの圧痕５３２を形成するステップをさらに含むことができる。各圧痕５３２は、４つの窪み５１８のそれぞれの外面に対して角度の付いた圧痕面を有している。各圧痕５３２は、外側絶縁体１１０を少なくとも部分的に貫くかかりを形成する。
【００４３】
[0061]４つの圧着ダイ３０２は、圧着ツール３００の長手軸線のまわりでおおよそ９０度離間されている。外側フェルール１１６の変形の後、４つの窪み１１８のうちの隣り合った窪み１１８は、外側フェルール１１６の長手軸線のまわりでおおよそ９０度離間される。４つの突出部１２０のうちの１つは、隣り合った窪み１１８の中間に配置される。４つの突出部１２０のうちの隣り合った突出部１２０は、外側フェルール１１６の長手軸線のまわりでおおよそ９０度離間される。
【００４４】
[0062]したがって、同軸電気ケーブル組立体１００が提供される。窪み１１８の一貫した半径、および突出部１２０の限定された高さ１２８は、外側フェルール１１６の領域における同軸ケーブル１０２の内側導体と外側導体１０４、１１０との間の静電容量の変動を減少させ、したがって、同軸ケーブル組立体１００に沿ったインピーダンスの変動を減少させ、それが、向上された挿入損失性能を提供する。外側フェルール５１６はまた、４つの窪み５１８、４つの突出部５２０、および４つの圧痕５３２を有して形成されるので、同軸ケーブル組立体１００への外側フェルール５１６の保持を改善する。外側フェルール５１６はまた、４つの窪み１１８および４つの突出部１２０を有して形成されるので、同軸ケーブル組立体１００が受け入れられる概ね円筒形のコネクタ穴を有している既存の設計のコネクタ体により容易に収容される。
【００４５】
[0063]したがって、外側フェルール１１６に４つの窪み１１８と４つの突出部１２０とを形成するように構成された圧着ツール３００も提供される。圧着ツール３００は、外側フェルール１１６に４つの窪み１１８を形成するために、４つの圧着ダイ３０２を含んでいる。圧着ツール３００はまた、４つの突出部１２０が最大高さ閾値１３０を超えないように４つの突出部１２０の成長を制限する、４つの制限ダイ３０６を含んでいる。圧着ツール３００は、外側フェルール１１６と共に使用されたときに、上記に挙げられた便益の全てを提供する。
【００４６】
[0064]本明細書において提示された例は、同軸電気ケーブル組立体１００を対象とするが、他のタイプの遮蔽されたまたは遮蔽されていない電気ケーブルと共に使用するのに適している他の実施形態が想定され得る。導体が光ファイバケーブル、気圧式の管、または液圧式の管である、組立体のさらに他の実施形態が想定され得る。
【００４７】
[0065]本発明は、その好ましい実施形態に関して説明されてきたが、本発明は、そのように限定されるように意図されているのではなく、むしろ、以下の特許請求の範囲に記載された範囲にのみ限定されるように意図されている。例えば、上記の実施形態（および／またはその態様）は、互いに組み合わせられて使用されてもよい。さらに、本発明の範囲から逸脱することなく、本発明の教示に合わせて特定の状況または材料を構成するように、多くの修正がなされ得る。本明細書において説明された、種々の構成要素の寸法、材料のタイプ、配向、ならびに種々の構成要素の数および位置は、いくつかの実施形態のパラメータを定めるように意図されており、決して限定的なものではなく、また、原型的な実施形態に過ぎない。
【００４８】
[0066]上記の説明を検討すると、特許請求の範囲に記載の精神および範囲に含まれる多くの他の実施形態および修正が、当業者には明らかであろう。したがって、本発明の範囲は、以下の特許請求の範囲、およびそのような特許請求の範囲が与える等価物の全ての範囲に準拠して決定されるべきである。
【００４９】
[0067]本明細書において、「１つまたは複数の」は、１つの要素によって行われる機能、例えば分散された形で２つ以上の要素によって行われる機能、１つの要素によって行われるいくつかの機能、いくつかの要素によって行われるいくつかの機能、またはそれらの任意の組合せを含む。
【００５０】
[0068]本明細書においては、種々の要素を説明するために、場合により第１の、第２の、などの用語が使用されているが、これらの要素は、これらの用語によって限定されるべきではないこともまた、理解されるであろう。これらの用語は、１つの要素と別の要素とを区別するためだけに使用されている。さらに、第１の、第２の、などの用語の使用は、いかなる重要性の順序も意味するものではなく、むしろ、第１の、第２の、などの用語は、１つの要素と別の要素とを区別するために使用されている。例えば、説明された種々の実施形態の範囲から逸脱することなしに、第１の接点が第２の接点と呼ばれてもよく、同様に、第２の接点が第１の接点と呼ばれてもよい。第１の接点および第２の接点は、どちらも接点であるが、同一の接点ではない。
【００５１】
[0069]本明細書において、説明された種々の実施形態の記述で使用されている専門用語は、特定の実施形態を説明する目的のためだけのものであって、限定的なものとして意図されてはいない。説明された種々の実施形態の記述、および添付の特許請求の範囲において、単数形「ａ」、「ａｎ」、および「ｔｈｅ」は、前後関係から明らかでない限り、複数形も含むことが意図されている。また、本明細書において、「および／または」という用語は、関連する記載された品目のうちの１つまたは複数のあらゆる可能な組合せを意味しかつ包含することが、理解されるであろう。さらに、本明細書において、「含む」、「含んでいる」、「備える」、および／または「備えている」という用語は、述べられた特徴、整数、ステップ、操作、要素、および／または構成要素の存在を指定するものであるが、１つもしくは複数の他の特徴、整数、ステップ、操作、要素、構成要素、および／またはそれらの群の存在または追加を除外するものではないことが、理解されるであろう。
【００５２】
[0070]本明細書において、「もし〜ならば」という用語は、文脈にもよるが、場合により、「〜するときに」または「〜すると」または「判定に応答して」または「検出に応答して」を意味すると解釈される。同様に、「もしそれが判定されたならば」または「もし［述べられた状況もしくは事象］が検出されたならば」という表現は、文脈にもよるが、場合により、「判定すると」たは「判定に応答して」または「［述べられた状況もしくは事象］を検出すると」または「［述べられた状況もしくは事象］の検出に応答して」を意味すると解釈される。
【００５３】
[0071]さらに、上側の、下側の、などのような方向を表す用語は、いかなる特定の配向も意味するものではなく、むしろ、上側の、下側の、などの用語は、１つの要素を別の要素と区別するため、および、種々の要素間の関係性を確立するために使用されるものである。
【符号の説明】
【００５４】
１００  導体組立体、組立体、同軸ケーブル組立体
１０２  同軸電気ケーブル、同軸ケーブル
１０４  内側導体
１０６  内側絶縁体
１０８  外側導体
１１０  外側絶縁体
１１２  外側端子
１１４  内側フェルール
１１６  外側フェルール
１１８  窪み
１２０  突出部
１２２  窪み半径
１２４  本来のフェルール半径
１２８  高さ
１３０  高さ閾値
２００  同軸ケーブル組立体
２１６  外側フェルール
２１８  窪み
２２０  突出部
２２４  本来のフェルール半径
２２６  中央部分
３００  圧着ツール
３０２  圧着ダイ
３０４  ダイ面
３０６  制限ダイ
３０８  制限面
３１０  制限半径
３１２  窪み半径
３１４  ダイ組立体
４００  圧着ツール
４０２  圧着ダイ
４０６  制限ダイ
４０８  制限面
４１０  リンケージ
５００  ケーブル組立体
５１６  外側フェルール
５１８  窪み
５２０  突出部
５３２  圧痕
５３４  底面
５３６  遠位縁
６００  圧着ツール
６０２  圧着ダイ
６１６  圧着面
６１８  圧痕面
７００  圧着プロセス、方法
７１０、７１２、７１４、７１６、７１８、７２０、７２２  ステップ
Ｘ  長手軸線
【図１】
2020043055.tif 000005
【図２】
2020043055.tif 000006
【図３】
2020043055.tif 000007
【図４】
2020043055.tif 000008
【図５】
2020043055.tif 000009
【図６】
2020043055.tif 000010
【図７】
2020043055.tif 000011
【図８】
2020043055.tif 000012
【図９】
2020043055.tif 000013
【図１０】
2020043055.tif 000014
【図１１】
2020043055.tif 000015
【図１２】
2020043055.tif 000016
【外国語明細書】
2020043055000001.pdf